(57)【要約】【課題】無線ＬＡＮを使用するホームネットワークにおいて、送受信データ量が大きな映像情報を通信する映像クライアントと映像サーバが、他の機器の無線通信に干渉されない安定した映像通信が行える無線映像通信システムを提供する。【解決手段】映像サーバと映像クライアントは、夫々に無線ネットワークのメイングループを用いて相互に通信を行うための所定の条件を設定する無線通信初期設定部(a)（５０１、５１１）と、この無線通信初期設定部により接続した後に、無線ネットワークのメイングループとは伝送周波数の異なるサブグループを用いて相互に通信を行うための、所定の条件を設定する無線通信設定変更部(s)（１０１、１０７）と、無線ネットワークのメイングループでの通信条件を記憶するメイングループ情報メモリ(r)（１０３、１０８）とを有する構成とし、データ量が大きな通信はサブグループを用いて行う。【選択図】図１
2007005865.tif 000002
【特許請求の範囲】
【請求項１】
映像情報を蓄積している複数の映像サーバと、前記映像サーバから無線ネットワークを介して前記映像情報が供給され画像を表示する複数の映像クライアントとで構成されている無線映像通信システムであって、
前記映像サーバと前記映像クライアントは、
前記無線ネットワークのメイングループを用いて相互に通信を行うための所定の条件を設定する無線通信初期設定部と、
前記無線通信初期設定部により接続した後に、前記無線ネットワークのメイングループとは少なくとも伝送周波数の異なる無線ネットワークのサブグループを用いて相互に通信を行うための、所定の条件を設定する無線通信設定変更部と、
前記無線ネットワークのメイングループでの通信条件を記憶するメイングループ情報メモリと、
を有し、前記無線ネットワークのサブグループにおける通信で前記映像情報を伝送し前記映像情報の伝送が終了後に前記無線ネットワークのメイングループに接続を戻すことを特徴とする無線映像通信システム。
【発明の詳細な説明】
【技術分野】
【０００１】
本発明は、無線映像通信システムに係り、特に、無線ＬＡＮを使用するホームネットワークにおいて、複数の映像クライアント機器と映像サーバ機器間の同時通信時に生ずる伝送速度の低下を回避する無線映像通信システムに関する。
【背景技術】
【０００２】
近年、家庭内において、大容量の記録媒体を持つ複数の記録再生装置に映像情報を多数記録しておき、複数の受像装置を夫々ネットワークを介して特定の記録再生装置に接続し所望する記録済みの映像情報を読み出し鑑賞する映像通信システムが普及している。
図４は、このようなホームネットワークにおいて、無線ＬＡＮを使用した従来の映像通信システムの構成を示すブロック図である。
この図で、表示部を有し映像情報（ストリーミング信号）を受信可能な映像クライアント（Ｃ１１）４０１、（Ｃ１２）４０２、（Ｃ１３）４０３が無線ネットワーク４０４に接続されており、無線ネットワーク４０４には、更に、映像情報を記録保持している複数の映像サーバ（Ｓ１１）４０５、（Ｓ１２）４０６、（Ｓ１３）４０７が接続されている。
【０００３】
各映像サーバは上記映像クライアントからの制御命令により夫々映像情報を無線ネットワーク４０４に出力するように動作する。このような構成で各映像クライアントは、所望する映像情報を選択した映像サーバから受け取り画面に表示する。
家庭内のネットワークは有線で行われることもあるが、ＬＡＮケーブルを各部屋に配線することは難しい場合が多いので、昨今はこの図のように簡便な無線ＬＡＮによる接続が普及している。
【０００４】
次に、図５を用いて、上記の無線ＬＡＮを使った従来の映像クライアントと映像サーバの通信部分における機能ブロックを説明する。
映像クライアント５００、映像サーバ５１０は、夫々通信を行うのに必要な、次に列挙する同一機能ブロックを有している。
【０００５】
すなわち、無線ネットワークグループに参加するために必要な、通信チャンネルおよびSSID（Service Set ID）などのセキュリティパスワードを設定するための「無線通信初期設定部(a)」５０１、５１１と、「無線通信受信部(b)」５０２、５１２と、「無線通信送信部(c)」５０３、５１３と、ネットワーク接続状態や機器情報や映像コンテンツ情報あるいは映像通信における各種制御における要求、応答、通知メッセージを作成する「メッセージ作成部(d)」５０４、５１４と、それらのメッセージを解析するための「メッセージ解析部(e)」５０６、５１６と、SSIDの確認や自身宛でない無線通信パケットを選別するための「排他処理部(f)」５０５、５１５である。
【０００６】
更に、映像クライアント５００は、上記に加え、「映像サーバ情報格納メモリ(g1)」５０８と、「映像コンテンツ情報格納メモリ(g2)」５０９と、受信した映像情報のデータを再生する「映像データ再生部(h)」５０７などを有する。
また、映像サーバ５１０は、上記に加え、複数の映像情報データが記録保存されている「映像データ(i)」５１７を有している。
【０００７】
次に、図６のフローチャートを用いて、上記図５に示す従来の映像クライアント５００と映像サーバ５１０における相互通信の接続開始から終了までの動作の概略を説明する。
まず、第１の動作は、通信を開始するにあたり、映像クライアントおよび映像サーバは、「無線通信初期設定部(a)」５０１、５１１により、現在確立されている家庭内の無線ネットワークグループの通信チャンネルおよびSSIDなどのセキュリティパスワードを設定し、自身の「無線通信受信部(b)」５０２、５１２と「無線通信送信部(c)」５０３、５１３を使用可能とする（図６のステップＳ６０１、Ｓ６１１）。
【０００８】
次に、第２の動作は、映像クライアントが初めてネットワークグループに参加し、各映像サーバと接続するためには、接続可能な映像サーバの存在、及び機器情報を知る必要があり、映像クライアントはサーバ探索メッセージをネットワークグループ上の映像サーバ全てに届くようマルチキャストで送信する（ステップＳ６０２）。
サーバ探索メッセージを受信した映像サーバは、自身のIPアドレスや機器情報などを応答メッセージとして送信元の映像クライアントを指定したユニキャストで送信する（ステップＳ６１３）。
映像クライアントは、映像サーバからの受信した探索応答メッセージから映像サーバ情報を保存する（ステップＳ６０３）。
【０００９】
また、順序が前後するが、映像サーバが初めてネットワークグループに参加し、ネットワーク上の映像クライアントに認識してもらうためには、映像サーバ自身がネットワークグループに参加していることを通知するメッセージに自身のＩＰアドレスや機器情報を加え、ネットワークグループ上の映像クライアント全てに届くようマルチキャストで送信を行う（ステップＳ６１２）。映像クライアントがこの参加通知メッセージを受信した場合の動作は、先の探索応答メッセージを受信した場合と同じである。
【００１０】
次に、第３の動作では、映像サーバを認識した映像クライアントが、映像サーバが持つ複数の映像コンテンツのタイトルや種類などを要求するコンテンツ情報要求メッセージとして、指定の映像サーバへユニキャスト送信する（ステップＳ６０４）。
要求を受けた映像サーバは、自身の映像コンテンツ情報を要求元の映像クライアントへユニキャストで返信する（ステップＳ６１４）。
映像クライアントは、返信されたコンテンツ情報をメモリに保存し（ステップＳ６０５）、使用者が選択できるように画面表示する。
【００１１】
次いで、第４の動作では、使用者が所望のコンテンツを画面で選択し決定すると、映像クライアントは、そのコンテンツを所有する映像サーバに対してコンテンツ送信要求メッセージを送信する（ステップＳ６０６）。
要求を受信した映像サーバは、指定コンテンツのストリーミングをユニキャスト送信開始する（ステップＳ６１５）。
映像クライアントは、ストリーミングを受信開始し（ステップＳ６０７）、受信したストリーミングを復号してコンテンツを画面に表示する。
使用者がコンテンツの視聴をやめると、映像クライアントはコンテンツの受信処理を終了する（ステップＳ６０８）。このとき、HTTPプロトコルなどによるストリーミングでは、映像サーバも自動的に映像クライアントの受信処理を感知して送信処理を中止する（ステップＳ６１６）。なお、コンテンツデータの通信方式によっては、映像クライアントから映像サーバにコンテンツデータの送信中止要求を送信する場合もある。
【００１２】
最後に、映像サーバがコンテンツの送信を終了し、このネットワークグループから離脱する場合は、自身の離脱を通知するネットワーク離脱メッセージを作成しネットワークグループ上の全ての映像クライアントにマルチキャスト送信し離脱する（ステップＳ６１７）。
映像クライアントは、その映像クライアントをネットワークグループ上で制御する映像サーバがなければ、特に離脱マルチキャストメッセージを送信せずに離脱する。
【００１３】
このように、一般的な家庭内映像通信システムにおいて、映像クライアントも映像サーバも全て、接続の開始から終了まで一つのネットワークグループの一部として接続されており、無線ＬＡＮを利用する場合は、全ての部分で同一の周波数帯域である通信チャンネルを利用し運用されている。
なお、以上説明したような、家庭内においてテレビやビデオレコーダ、チューナ機器などの家電機器をネットワークでつなぎ、映像を視聴するシステムとしては、Digital Living Network Alliance規格などの規格がある。
【００１４】
ところで、このような無線ネットワークシステムでは、使用者がコンテンツの視聴を開始した場合は、たとえユニキャスト通信であっても、特定の映像クライアントと特定の映像サーバ間でのみ必要なストリーミングデータが電波として他の映像クライアントにも届きいてしまうので、他の映像クライアントは膨大なストリーミングデータを自身に関係のないものとして排他処理をしなければならない。
図７はこのような、従来の同時に複数の通信が行われているときの状態を図示したものである。この図で示すように、一つの通信チャンネルで形成された無線ネットワークグループ内で、それぞれ別の映像クライアントと映像サーバ間で映像通信が同時に行われる場合には、映像通信受信処理中の映像クライアントが別の映像通信データの排他処理を行うために、本来の映像通信受信処理を中断しなくてはならず、受信するストリーミングデータが途切れてしまい、再生画像がフリーズするなどの問題が発生する場合がある。
【００１５】
こうした問題に対して、映像通信においてクライアントとサーバ間の通信をできるだけスムーズに行う手段として通信パケットに優先度情報を付加し、映像や音声などの通信パケットの優先度をあげることで解決しようとするQoS（Quality of Service）技術が提案されている。しかしながら、無線ネットワークで通信を行う場合には、同じ周波数帯を使う限り全ての機器が電波を受信してしまうため、各機器での不要な通信パケットの排他処理はなくならないため、問題は解決しない。
【００１６】
このような、複数の映像クライアントと映像サーバが同時に通信を行うことによって引き起こされる通信路上の輻輳状態を回避可能な無線映像通信システムの技術が下記特許文献１に開示されている。
【特許文献１】特開平９−２７９５１号公報
【発明の開示】
【発明が解決しようとする課題】
【００１７】
しかしながら、特許文献１の場合、広域の携帯情報端末などを使用した無線映像通信に適用する技術であり、通常の制御用通信チャンネルと別に映像用の通信チャンネルを用意する構成としているため、通信を行う各機器に複数の電波の送受信機能が必要となるので、家庭内の映像通信のような小規模な無線ＬＡＮシステムに用いるのはコストが掛かり過ぎるという欠点がある。
【００１８】
本発明は、このような従来の問題点に鑑みなされたものであり、家庭内の比較的小規模な無線映像通信システムにおいて、映像情報のストリーミングデータのように単位時間あたりの送受信データ量が大きなデータを通信する映像クライアントと映像サーバが、他の機器の無線通信に干渉されない安定した映像通信が行える無線映像通信システムを提供することを目的とする。
【課題を解決するための手段】
【００１９】
本発明は、上記課題を解決する手段として以下に記載の構成からなる。すなわち、
映像情報を蓄積している複数の映像サーバと、前記映像サーバから無線ネットワークを介して前記映像情報が供給され画像を表示する複数の映像クライアントとで構成されている無線映像通信システムであって、
前記映像サーバと前記映像クライアントは、前記無線ネットワークのメイングループを用いて相互に通信を行うための所定の条件を設定する無線通信初期設定部（５０１、５１１）と、
前記無線通信初期設定部により接続した後に、前記無線ネットワークのメイングループとは少なくとも伝送周波数の異なる無線ネットワークのサブグループを用いて相互に通信を行うための、所定の条件を設定する無線通信設定変更部（１０１、１０７）と、
前記無線ネットワークのメイングループでの通信条件を記憶するメイングループ情報メモリ（１０３、１０８）と、を有し、前記無線ネットワークのサブグループにおける通信で前記映像情報を伝送し前記映像情報の伝送が終了後に前記無線ネットワークのメイングループに接続を戻すことを特徴とする無線映像通信システムである。
【発明の効果】
【００２０】
本発明によれば、映像サーバと映像クライアントは、夫々に無線ネットワークのメイングループを用いて相互に通信を行うための所定の条件を設定する無線通信初期設定部と、この無線通信初期設定部により接続した後に、無線ネットワークのメイングループとは伝送周波数の異なるサブグループを用いて相互に通信を行うための、所定の条件を設定する無線通信設定変更部と、無線ネットワークのメイングループでの通信条件を記憶するメイングループ情報メモリと、を有する格別な構成により、大量データの映像情報を通信する時には無線ネットワークのサブグループで行うので、他の機器の無線通信による干渉を受けることなく安定した映像通信が行うことが可能となる。更に、映像情報の送受信が終了後は元のメイングループに自動的に戻るので、使用者は映像クライアントと映像サーバをサブグループに移行する手動操作を行う必要がなく、切替えを意識せずに使用することができる。
【発明を実施するための最良の形態】
【００２１】
以下、本発明の実施形態に係る無線映像通信システムについて、図面を参照して説明する。
図１は本発明に係る無線ＬＡＮを使った映像クライアントと映像サーバの通信部分における各機能の構成を示すブロック図、図２は映像クライアントと映像サーバにおける相互通信の接続開始から終了までの動作を説明するフローチャート、図３は本発明に係る複数の通信が同時に行われる状態を説明するブロック図である。
【００２２】
前記したように、複数の映像クライアントと映像サーバが同時に通信を行うことによって引き起こされる映像情報の途切れ問題を解決するためには、図３に示すように、各映像通信ごとに、他の通信チャンネルの干渉を受けない周波数帯域の通信チャンネルを使う無線ネットワークのサブグループを本来の無線ネットワークのメイングループとは別に独自に形成することが有効である。
【００２３】
同図では、映像クライアント（Ｃ１）３０１と映像サーバ（Ｓ１）３０７は、通信チャンネルを「無線ネットワーク サブグループ（１）」３０４に変えて映像情報の通信を行っており、また、映像クライアント（Ｃ２）３０２と映像サーバ（Ｓ２）３０８は、通信チャンネルを「無線ネットワーク サブグループ（２）」３０５に変えて別の映像情報の通信を行っている。こうすることで、これら２つのグループは無線ネットワーク メイングループ３０６の通信チャンネルを使った他の機器間の制御系通信と周波数帯が違うため、電波として他のネットワークの電波は受信しないので、問題となる排他処理をおこなわなくてよいことになる。
本発明に係る無線映像通信システムにおける映像クライアントと映像サーバは、このように映像情報の通信時には別のサブグループを形成する機能を有している点に大きな特徴が有る。
【００２４】
まず、図１を用いて本実施例における映像クライアントと映像サーバの内部構成を説明する。なお、図５を用いて説明した従来機器と同一構成の機能ブロックについては同一符号を記し詳細な機能説明を省略する。
図１において、本実施例における映像クライアント１００には、図５に示す従来技術の映像クライアント５００の各機能に次の５機能が追加される。
【００２５】
追加される機能の第１は、複数の無線通信用の周波数チャンネルの使用状態を周波数ホッピングなどにより確認でき、その空き情報に応じて無線映像通信用の通信チャンネルと自身と相手映像サーバの通信に必要なそのほかの情報、例えばSSIDなどを決定する「サブグループ情報決定部(n)」１０２、第２は、決定された無線サブグループ情報に従って自身の無線通信設定を変更する「無線通信設定変更部(ｓ)」１０１、第３は、無線サブグループ変更要求メッセージ作成を行うための「サブグループ関連メッセージ作成部(p)」１０４、第４は、その応答メッセージ解析を行うための「サブグループ関連メッセージ解析部(q)」１０５、第５は、元の家庭内無線ネットワーク メイングループにおける通信チャンネルやSSIDを保存しておく「メイングループ情報用メモリ(r)」１０３である。
【００２６】
また、図１の映像サーバ１０６には、図５に示す従来技術の映像サーバ５１０の各機能に次の４機能が追加される。
第１は、元の家庭内無線ネットワークメイングループにおける通信チャンネルやSSIDを保存しておく「メイングループ情報用メモリ(r) 」１０８、第２は、無線サブグループ変更要求を理解するための「サブグループ関連メッセージ解析部(q)１０９、第３は、要求された無線サブグループ情報に従って自身の無線通信設定を変更する「無線通信設定変更部(ｓ)１０７、第４は、要求に対する応答や家庭内無線ネットワークメイングループに離脱を通知するメッセージを作成する「サブグループ関連メッセージ作成部(p)１１０である。
【００２７】
次に、図２のフローチャートを用いて、前記図１の機能構成を持つ映像クライアント１００と映像サーバ１０６の接続開始から終了までの動作を説明する。
なお、映像クライアント１００においては、「START」から無線ネットワーク メイングループ上の全てのサーバに探索メッセージを送信し、サーバのコンテンツ情報を取得し格納する「コンテンツ情報格納」までの動作ステップについては、前記図６のフローチャートを用いて説明した従来技術と同一であるので説明を省略する。
また映像サーバ１０６においても、「START」から無線ネットワーク メイングループ上の全てのクライアントに対しネットワーク参加通知を送信し、クライアントからの要求に応じてコンテンツ情報を送信する「コンテンツ情報送信」までの動作ステップについては、前記図６のフローチャートを用いて説明した従来技術と同一であるので説明を省略する。
【００２８】
前記「コンテンツ情報格納」まで進んだ映像クライアント１００は、映像通信を行いたい映像サーバ１０６にコンテンツ送信要求を行う前に、まず、現在の通信チャンネルやSSIDなどのメイングループ情報を「メイングループ情報メモリ(r)」１０３に格納する（図２のステップＳ２０１）。
次いで、前記「サブグループ情報決定部(n)」１０２でサブグループ用無線情報を決定し（ステップＳ２０２）、決定された通信チャンネル、SSIDを持つサブグループに変更するように映像サーバ１０６に対してサブグループ変更要求メッセージをユニキャストで送信する（ステップＳ２０３）。
【００２９】
映像サーバ１０６は、このサブグループ変更要求を受け、要求されたサブグループ情報に沿った通信チャンネルへ自身が変更可能かどうかに確認し（ステップＳ２１０）、ＯＫなのかＮＧなのか応答する（ステップＳ２１１又はＳ２１２）。
ここで、仮に応答メッセージがＮＧの場合には、映像クライアント１００は他に空いている通信チャンネルがある限り、違うサブグループ情報を再作成し、再度サブグループ変更要求を行う。ＯＫの応答メッセージを受信した要求元の映像クライアント１００は、直ちに「無線通信設定変更部(s)」１０７により、自身の無線ネットワークの通信チャンネル、SSIDなどを変更し（ステップＳ２０４）、映像サーバ１０６がサブグループに変更完了したかどうかの通知を待つ。
【００３０】
映像クライアント１００からのサブグループ変更要求に対しＯＫを送信した映像サーバ１０６は、現在の無線ネットワーク メイングループにおける通信チャンネルなどの情報を「メイングループ情報メモリ(r)」１０８に格納し（ステップＳ２１３）、要求元の映像クライアント１００とは別の、メイングループ上の全ての映像クライアントに対して自身がメイングループから離脱することをマルチキャストで送信する（ステップＳ２１４）。メイングループの他の映像クライアントは、映像サーバ１０６がメイングループから離れたことを認識し、必要に応じてそのサーバの情報やコンテンツの情報を利用不可なものとして削除する。
【００３１】
映像サーバ１０６はこれらの処理を行った後、「無線通信設定変更部(s)」１０７により自身をサブグループに変更し（ステップＳ２１５）、既にサブグループに変更済の映像クライアント１００対し、新しい通信チャンネルを使ってサブグループへの変更完了メッセージをユニキャストで送信する（ステップＳ２１６）。
【００３２】
映像クライアント１００は、映像サーバ１０６からのサブグループ変更完了通知を受けると映像ストリーミング可能と判断し、新しい通信チャンネルである無線ネットワーク サブグループでの映像通信を開始する。
まず、コンテンツ要求メッセージを送信する（ステップＳ２０５）。コンテンツ要求メッセージを受信した映像サーバ１０６は、指定コンテンツのストリーミングをユニキャスト送信開始する（ステップＳ２１７）。映像クライアント１００は、ストリーミングを受信開始し（ステップＳ２０６）、受信したストリーミングを復号してコンテンツを画面に表示する。
【００３３】
使用者がコンテンツの視聴をやめると、映像クライアント１００はコンテンツの受信処理を終了する（ステップＳ２０７）。このとき、HTTPプロトコルなどによる映像通信では、映像サーバも自動的に映像クライアントの受信処理を感知し送信処理を中止する（ステップＳ２１８）。
この後、映像クライアント１００は、直ちに、「メイングループ情報メモリ(r)」１０３に保存されている元のメイングループ用の無線チャンネルなどの情報を元に、「無線通信設定変更部(s)」１０１により、自身をメイングループに再接続し、接続初期の動作であるサーバ探索メッセージをマルチキャストで送信する（ステップＳ２０９）。
また、映像サーバ１０６も保存されていた「メイングループ情報メモリ(r)」１０８を元に「無線通信設定変更部(s)」１０７により、自身をメイングループに再接続し、接続初期の動作であるネットワーク参加通知をマルチキャストで送信する（ステップＳ２２０）。即ち、サブグループによる映像通信を終えた映像クライアント１００と映像サーバ１０６は、本来のメイングループに復帰する。
【００３４】
以上詳述したように、本実施例では、映像通信を行う映像クライアントと映像サーバが、映像ストリーミングの送受を行う直前に、自動的に、予め設定されている幾つかの無線ネットワーク サブグループのチャンネルから相互に通信可能な１つを選択し、これを用いて映像通信を形成するように動作する。また、映像通信の終了後には、映像クライアントと映像サーバは、無線ネットワーク サブグループを離れて再度無線ネットワーク メイングループに参加する機能を持っているので、使用者は、映像クライアントと映像サーバが一時的に無線ネットワーク サブグループに移行していることを意識せずに操作することができる。
【００３５】
このように、本発明によれば映像クライアントと映像サーバが映像情報のストリーミングデータのように単位時間あたりの送受信データ量が大きなデータを通信する際には、他の映像クライアントや映像サーバが接続されていないネットワークに一時退避して通信を行うので、他の機器の無線通信に干渉されない安定した映像通信が行えるようになる。
【図面の簡単な説明】
【００３６】
【図１】本発明に係る映像クライアントと映像サーバの通信部分における各機能の構成を示すブロック図である。
【図２】本発明に係る映像クライアントと映像サーバにおける相互通信の接続開始から終了までの動作を説明するフローチャートである。
【図３】本発明に係る複数の通信が同時に行われる状態を説明するブロック図である。
【図４】従来の無線ＬＡＮを使用した映像通信システムの構成を示すブロック図である。
【図５】従来の映像クライアントと映像サーバの通信部分における各機能の構成を示すブロック図である。
【図６】従来の映像クライアントと映像サーバにおける相互通信の接続開始から終了までの動作を説明するフローチャートである。
【図７】従来の複数の通信が同時に行われる状態を説明するブロック図である。
【符号の説明】
【００３７】
１００…映像クライアント
１０１、１０７…無線通信設定変更部(ｓ)（無線通信設定変更手段）
１０２…サブグループ情報決定部(n)
１０３、１０８…メイングループ情報用メモリ(r)
１０４、１１０…サブグループ関連メッセージ作成部(p)
１０５、１０９…サブグループ関連メッセージ解析部(q)
１０６…映像サーバ
３０１…映像クライアント（Ｃ１）
３０２…映像クライアント（Ｃ２）
３０３…映像クライアント（Ｃ３）
３０４…無線ネットワーク サブグループ（１）
３０５…無線ネットワーク サブグループ（２）
３０６…無線ネットワーク メイングループ
３０７…映像サーバ（Ｓ１）
３０８…映像サーバ（Ｓ２）
３０９…映像サーバ（Ｓ３）
５０１、５１１…無線通信初期設定部(a)（無線通信初期設定手段）
５０２、５１２…無線通信受信部(b)
５０３、５１３…無線通信送信部(c)
５０４、５１４…メッセージ作成部(d)
５０５、５１５…メッセージ解析部(e)
５０６、５１６…排他処理部(f)
５０７…映像データ再生部(h)
５０８…映像サーバ情報格納メモリ(g1)
５０９…映像コンテンツ情報格納メモリ(g2)
５１７…映像データ(i)
【図１】
2007005865.tif 000003
【図２】
2007005865.tif 000004
【図３】
2007005865.tif 000005
【図４】
2007005865.tif 000006
【図５】
2007005865.tif 000007
【図６】
2007005865.tif 000008
【図７】
2007005865.tif 000009